(57)【要約】【課題】統一することなく複数の店舗間で別個に付与されて用いられているインストアコードが示す各商品の情報を正確に確認する。【解決手段】コード管理サーバ１０が、商品仕様識別コード（製造コード）と、インストアコードと、賞味期限該当期間とを含むコード管理情報を格納するコード管理ＤＢ１１を備え、検索対象の商品に付与されているインストアコードとその商品の賞味期限とを含む検索依頼情報を受け付け、受け付けた検索依頼情報に含まれるインストアコードを含み、その検索依頼情報に含まれる賞味期限を含む賞味期限該当期間が対応付けされているコード管理情報を、コード管理ＤＢ１１を参照して検索し、検索したコード管理情報に含まれている商品仕様識別コードを特定したあと、特定した商品仕様識別コードを使用して、商品仕様識別コードが付与されている商品の商品カルテを取得して商品情報を出力する。【選択図】図７
2008234365.tif 000002
【特許請求の範囲】
【請求項１】
商品が生産あるいは製造されたときに当該商品を識別するための商品仕様識別コードが付与され、各小売チェーンにおいてそれぞれ別個にインストアコードが付与されている商品についてのコード管理を行うコード管理サーバであって、
前記商品仕様識別コードと、該商品仕様識別コードが示す商品に各小売チェーンにおいて付与されるインストアコードと、当該商品仕様識別コードが示す商品の賞味期限の範囲を示す賞味期限該当期間とを含むコード管理情報を格納するコード管理ＤＢと、
検索対象の商品に付与されているインストアコードと当該商品の賞味期限とを含む検索依頼情報を受け付ける検索依頼情報受付手段と、
該検索依頼情報受付手段が受け付けた検索依頼情報に含まれるインストアコードを含み、当該検索依頼情報に含まれる賞味期限を含む賞味期限該当期間が対応付けされているコード管理情報を、前記コード管理ＤＢを参照して検索し、検索したコード管理情報に含まれている商品仕様識別コードを特定する商品仕様識別コード特定手段と、
該商品仕様識別コード特定手段が特定した商品仕様識別コードを使用して、当該商品仕様識別コードが付与されている商品の商品カルテを取得する商品カルテ取得手段と、
該商品カルテ取得手段が取得した商品カルテが示す商品情報を出力する商品情報出力手段とを含む
ことを特徴とするコード管理サーバ。
【請求項２】
前記検索依頼情報受付手段は、各小売チェーンにてそれぞれ管理される小売チェーンサーバから通信ネットワークを介して送信された検索依頼情報を受け付け、
前記小売チェーンサーバは、
インストアコードと賞味期限とを指定可能な検索依頼情報指定領域を含む検索依頼情報指定画面を表示する検索依頼情報指定画面表示手段と、
前記検索依頼情報指定画面にて指定された検索依頼情報を通信ネットワークを介して送信する検索依頼情報送信手段とを有する
請求項１記載のコード管理サーバ。
【請求項３】
前記検索依頼情報指定画面表示手段は、前記検索依頼情報指定領域に所定のインストアコードと所定の賞味期限とに対応付けされたアイコンを指定可能に表示する
請求項２記載のコード管理サーバ。
【請求項４】
アイコンは、該当する商品を特定可能な画像によって形成されている
請求項３記載のコード管理サーバ。
【請求項５】
商品を生産あるいは製造したメーカによって当該商品に付与された商品仕様識別コードを含むメーカ管理情報を取得するメーカ管理情報取得手段と、
該メーカ管理情報取得手段が取得したメーカ管理情報を前記コード管理ＤＢに登録するメーカ管理情報登録手段とを含む
請求項１から請求項４のうちいずれかに記載のコード管理サーバ。
【請求項６】
各小売チェーンにおいて管理される各小売チェーンサーバから、インストアコードと該インストアコードが付与されている商品の商品仕様識別コードとを含む小売店情報を取得する小売店情報取得手段と、
前記コード管理ＤＢに登録されている商品仕様識別コードのうち前記小売店情報取得手段が取得した商品仕様識別コードに対応付けして、当該小売店情報取得手段が取得したインストアコードを登録するインストアコード登録手段とを含む
請求項５記載のコード管理サーバ。
【請求項７】
コード管理情報は、インストアコードを付与している小売チェーンを示す小売チェーン名を含む
請求項１から請求項６のうちいずれかに記載のコード管理サーバ。
【請求項８】
コード管理情報は、商品仕様識別コードが付与されている商品の商品名を含む
請求項１から請求項７のうちいずれかに記載のコード管理サーバ。
【請求項９】
前記商品カルテが示す商品情報は、該当商品の商品名と、該商品の使用材料と、該商品の生産あるいは製造の際に使用された資材と、前記使用材料の分量と、前記資材の分量とを含み、
前記商品情報出力手段は、商品カルテが示す商品情報として、該当商品の商品名と、該商品の使用材料と、該商品の生産あるいは製造の際に使用された資材とを出力し、
分量の検索依頼を受け付ける分量検索依頼受付手段と、
該分量検索依頼受付手段が分量の検索依頼を受け付けたことに応じて、前記使用材料の分量と、前記資材の分量とを検索する分量検索手段と、
前記分量検索手段が検索した前記使用材料の分量と、前記資材の分量とを含む分量情報を出力する分量情報出力手段とを含む
請求項１から請求項８のうちいずれかに記載のコード管理サーバ。
【請求項１０】
商品が生産あるいは製造されたときに当該商品を識別するための商品仕様識別コードが付与され、各小売チェーンにおいてそれぞれ別個にインストアコードが付与されている商品についてのコード管理を行うコード管理方法であって、
検索対象の商品に付与されているインストアコードと当該商品の賞味期限とを含む検索依頼情報を受け付ける検索依頼情報受付処理と、
該検索依頼情報受付処理にて受け付けた検索依頼情報に含まれるインストアコードを含み、当該検索依頼情報に含まれる賞味期限を含む賞味期限該当期間が対応付けされているコード管理情報を、前記商品仕様識別コードと、該商品仕様識別コードが示す商品に各小売チェーンにおいて付与されるインストアコードと、当該商品仕様識別コードが示す商品の賞味期限の範囲を示す賞味期限該当期間とを含むコード管理情報を格納するコード管理ＤＢを参照して検索し、検索したコード管理情報に含まれている商品仕様識別コードを特定する商品仕様識別コード特定処理と、
該商品仕様識別コード特定処理にて特定した商品仕様識別コードを使用して、当該商品仕様識別コードが付与されている商品の商品カルテを取得する商品カルテ取得処理と、
該商品カルテ取得処理にて取得した商品カルテが示す商品情報を出力する商品情報出力処理とを含む
ことを特徴とするコード管理方法。
【請求項１１】
前記検索依頼情報受付処理では、各小売チェーンにてそれぞれ管理される小売チェーンサーバから通信ネットワークを介して送信された検索依頼情報を受け付け、
前記小売チェーンサーバは、
インストアコードと賞味期限とを指定可能な検索依頼情報指定領域を含む検索依頼情報指定画面を表示する検索依頼情報指定画面表示処理と、
前記検索依頼情報指定画面にて指定された検索依頼情報を通信ネットワークを介して送信する検索依頼情報送信処理とを実行する
請求項１０記載のコード管理方法。
【請求項１２】
前記検索依頼情報指定画面表示処理では、前記検索依頼情報指定領域に所定のインストアコードと所定の賞味期限とに対応付けされたアイコンを指定可能に表示する
請求項１１記載のコード管理方法。
【請求項１３】
アイコンは、該当する商品を特定可能な画像によって形成されている
請求項１２記載のコード管理方法。
【請求項１４】
商品を生産あるいは製造したメーカによって当該商品に付与された商品仕様識別コードを含むメーカ管理情報を取得するメーカ管理情報取得処理と、
該メーカ管理情報取得処理にて取得したメーカ管理情報を前記コード管理ＤＢに登録するメーカ管理情報登録処理とを含む
請求項１０から請求項１３のうちいずれかに記載のコード管理方法。
【請求項１５】
各小売チェーンにおいて管理される各小売チェーンサーバから、インストアコードと該インストアコードが付与されている商品の商品仕様識別コードとを含む小売店情報を取得する小売店情報取得処理と、
前記コード管理ＤＢに登録されている商品仕様識別コードのうち前記小売店情報取得処理にて取得した商品仕様識別コードに対応付けして、当該小売店情報取得処理にて取得したインストアコードを登録するインストアコード登録処理とを含む
請求項１４記載のコード管理方法。
【請求項１６】
コード管理情報は、インストアコードを付与している小売チェーンを示す小売チェーン名を含む
請求項１０から請求項１５のうちいずれかに記載のコード管理方法。
【請求項１７】
コード管理情報は、商品仕様識別コードが付与されている商品の商品名を含む
請求項１０から請求項１６のうちいずれかに記載のコード管理方法。
【請求項１８】
前記商品カルテが示す商品情報は、該当商品の商品名と、該商品の使用材料と、該商品の生産あるいは製造の際に使用された資材と、前記使用材料の分量と、前記資材の分量とを含み、
前記商品情報出力処理では、商品カルテが示す商品情報として、該当商品の商品名と、該商品の使用材料と、該商品の生産あるいは製造の際に使用された資材とを出力し、
分量の検索依頼を受け付ける分量検索依頼受付処理と、
該分量検索依頼受付処理にて分量の検索依頼を受け付けたことに応じて、前記使用材料の分量と、前記資材の分量とを検索する分量検索処理と、
前記分量検索処理が検索した前記使用材料の分量と、前記資材の分量とを含む分量情報を出力する分量情報出力処理とを含む
請求項１０から請求項１７のうちいずれかに記載のコード管理方法。
【発明の詳細な説明】
【技術分野】
【０００１】
本発明は、商品が生産あるいは製造されたときに当該商品を識別するための商品仕様識別コードが付与され、各小売チェーンにおいてそれぞれ別個にインストアコードが付与されている商品についてのコード管理を行うコード管理サーバ、及びコード管理方法に関する。
【背景技術】
【０００２】
従来から、スーパーマーケット等の店舗において、購入が希望された商品に付されているバーコード等のＰＯＳコードを読み取ることで、商品単位の販売状況を把握するための情報の収集等を行うＰＯＳシステムが広く用いられている（例えば、特許文献１−２参照）。
【０００３】
【特許文献１】特開２００５−１６５６２９号公報
【特許文献２】特開２００５−２２８０２１号公報
【発明の開示】
【発明が解決しようとする課題】
【０００４】
上述した従来のＰＯＳシステムでは、ＰＯＳコードによって得られる情報は各店舗独自のインストアコードとされている。チェーンストアでは、一般にＪＡＮ（ＥＡＮ）コードと呼ばれる国際標準コードの形式が使用されているが、登録されている対応商品がバラバラのインストアコードが使用されている。
【０００５】
一方、各チェーンストアで販売される各商品毎にそれぞれ商品マスタが作成され、その商品マスタそれぞれに商品マスタ番号が付与される。この商品マスタ番号は、各チェーンストアにて販売された商品を一意に特定可能である。
【０００６】
従って、各チェーンストアで使用されるインストアコードと商品マスタ番号とが１対１に対応付けされていれば、各チェーンストアにおけるインストアコードから該当する商品に関する情報を的確に得ることが可能となる。
【０００７】
しかしながら、実際上は、例えば惣菜や缶詰などの商品における一部の材料が変更されただけのような場合には、商品マスタ番号は別途付与されるが、インストアコードは変更されることなく継続して使用されることがあるため、インストアコードから該当する商品に関する正確な情報を得ることはできないという問題があった。
【０００８】
本発明は、上述した問題を解消し、統一することなく複数の店舗間で別個に付与されて用いられているインストアコードが示す各商品の情報を正確に確認することができるようにすることを目的とする。
【課題を解決するための手段】
【０００９】
本発明のコード管理サーバは、商品が生産あるいは製造されたときに当該商品を識別するための商品仕様識別コードが付与され、各小売チェーンにおいてそれぞれ別個にインストアコードが付与されている商品についてのコード管理を行うコード管理サーバであって、前記商品仕様識別コードと、該商品仕様識別コードが示す商品に各小売チェーンにおいて付与されるインストアコードと、当該商品仕様識別コードが示す商品の賞味期限の範囲を示す賞味期限該当期間とを含むコード管理情報を格納するコード管理ＤＢと、検索対象の商品に付与されているインストアコードと当該商品の賞味期限とを含む検索依頼情報を受け付ける検索依頼情報受付手段と、該検索依頼情報受付手段が受け付けた検索依頼情報に含まれるインストアコードを含み、当該検索依頼情報に含まれる賞味期限を含む賞味期限該当期間が対応付けされているコード管理情報を、前記コード管理ＤＢを参照して検索し、検索したコード管理情報に含まれている商品仕様識別コードを特定する商品仕様識別コード特定手段と、該商品仕様識別コード特定手段が特定した商品仕様識別コードを使用して、当該商品仕様識別コードが付与されている商品の商品カルテを取得する商品カルテ取得手段と、該商品カルテ取得手段が取得した商品カルテが示す商品情報を出力する商品情報出力手段とを含むことを特徴とする。
【００１０】
上記のように構成したことで、統一することなく複数の店舗間で別個に付与されて用いられているインストアコードが示す各商品の情報を、インストアコードと賞味期限とによって検索することが可能となり、正確に確認することができる。
【００１１】
前記検索依頼情報受付手段は、各小売チェーンにてそれぞれ管理される小売チェーンサーバから通信ネットワークを介して送信された検索依頼情報を受け付け、前記小売チェーンサーバは、インストアコードと賞味期限とを指定可能な検索依頼情報指定領域を含む検索依頼情報指定画面を表示する検索依頼情報指定画面表示手段と、前記検索依頼情報指定画面にて指定された検索依頼情報を通信ネットワークを介して送信する検索依頼情報送信手段とを有する構成とされていてもよい。
【００１２】
前記検索依頼情報指定画面表示手段は、前記検索依頼情報指定領域に所定のインストアコードと所定の賞味期限とに対応付けされたアイコンを指定可能に表示する構成とされていてもよい。
【００１３】
アイコンは、例えば、該当する商品を特定可能な画像によって形成されている。
【００１４】
商品を生産あるいは製造したメーカによって当該商品に付与された商品仕様識別コードを含むメーカ管理情報を取得するメーカ管理情報取得手段と、該メーカ管理情報取得手段が取得したメーカ管理情報を前記コード管理ＤＢに登録するメーカ管理情報登録手段とを含む構成とされていてもよい。
【００１５】
各小売チェーンにおいて管理される各小売チェーンサーバから、インストアコードと該インストアコードが付与されている商品の商品仕様識別コードとを含む小売店情報を取得する小売店情報取得手段と、前記コード管理ＤＢに登録されている商品仕様識別コードのうち前記小売店情報取得手段が取得した商品仕様識別コードに対応付けして、当該小売店情報取得手段が取得したインストアコードを登録するインストアコード登録手段とを含む構成とされていてもよい。
【００１６】
コード管理情報は、インストアコードを付与している小売チェーンを示す小売チェーン名を含む構成とされていてもよい。
【００１７】
コード管理情報は、商品仕様識別コードが付与されている商品の商品名を含む構成とされていてもよい。
【００１８】
前記商品カルテが示す商品情報は、該当商品の商品名と、該商品の使用材料と、該商品の生産あるいは製造の際に使用された資材と、前記使用材料の分量と、前記資材の分量とを含み、前記商品情報出力手段は、商品カルテが示す商品情報として、該当商品の商品名と、該商品の使用材料と、該商品の生産あるいは製造の際に使用された資材とを出力し、分量の検索依頼を受け付ける分量検索依頼受付手段と、該分量検索依頼受付手段が分量の検索依頼を受け付けたことに応じて、前記使用材料の分量と、前記資材の分量とを検索する分量検索手段と、前記分量検索手段が検索した前記使用材料の分量と、前記資材の分量とを含む分量情報を出力する分量情報出力手段とを含む構成とされていてもよい。
【００１９】
また、本発明のコード管理方法は、商品が生産あるいは製造されたときに当該商品を識別するための商品仕様識別コードが付与され、各小売チェーンにおいてそれぞれ別個にインストアコードが付与されている商品についてのコード管理を行うコード管理方法であって、検索対象の商品に付与されているインストアコードと当該商品の賞味期限とを含む検索依頼情報を受け付ける検索依頼情報受付処理と、該検索依頼情報受付処理にて受け付けた検索依頼情報に含まれるインストアコードを含み、当該検索依頼情報に含まれる賞味期限を含む賞味期限該当期間が対応付けされているコード管理情報を、前記商品仕様識別コードと、該商品仕様識別コードが示す商品に各小売チェーンにおいて付与されるインストアコードと、当該商品仕様識別コードが示す商品の賞味期限の範囲を示す賞味期限該当期間とを含むコード管理情報を格納するコード管理ＤＢを参照して検索し、検索したコード管理情報に含まれている商品仕様識別コードを特定する商品仕様識別コード特定処理と、該商品仕様識別コード特定処理にて特定した商品仕様識別コードを使用して、当該商品仕様識別コードが付与されている商品の商品カルテを取得する商品カルテ取得処理と、該商品カルテ取得処理にて取得した商品カルテが示す商品情報を出力する商品情報出力処理とを含むことを特徴とする。
【発明の効果】
【００２０】
本発明によれば、統一することなく複数の店舗間で別個に付与されて用いられているインストアコードが示す各商品の情報を正確に確認することができるようになる。
【発明を実施するための最良の形態】
【００２１】
以下、本発明の一実施の形態について図面を参照して説明する。
図１は、本発明の一実施の形態に係るコード管理システム１００の構成の例を示すブロック図である。図１に示すように、コード管理システム１００は、コード管理サーバ１０と、商品マスタサーバ２０と、小売店サーバ３１〜３Ｎ（Ｎ：任意の正の整数）とを含む。コード管理サーバ１０、商品マスタサーバ２０、および小売店サーバ３１〜３Ｎは、それぞれ、例えばインターネットなどの通信ネットワーク４０に接続されている。
【００２２】
コード管理サーバ１０、商品マスタサーバ２０、および小売店サーバ３１〜３Ｎは、それぞれ、ＷＷＷサーバなどの情報処理装置によって構成される。
【００２３】
コード管理サーバ１０は、例えばコード管理システム１００のシステム管理者によって管理されるサーバであり、商品が生産あるいは製造されたときにその商品に付与される製造コードや各小売店にて使用されているインストアコードの管理を行うものである。
【００２４】
コード管理サーバ１０は、コード管理情報が格納されるコード管理ＤＢ１１と、メーカ生産管理情報が格納されるメーカ生産管理ＤＢ１２とを備えている。コード管理情報は、製造コードと各小売店にて使用されているインストアコードとの関係を管理するための情報である。メーカ生産管理情報は、商品が生産あるいは製造されたときにメーカ側によってその商品に付与された製造コードと、その製造コードが示す商品の商品名と、その商品を生産あるいは製造したメーカ名とを含む。なお、コード管理ＤＢ１１と、メーカ生産管理ＤＢ１２とは、コード管理サーバ１０の内部にあっても外部にあってもよい。また、メーカ生産管理情報は、例えば、各メーカが管理するメーカ端末（図示せず）から、例えば定期的にコード管理サーバ１０に通信ネットワーク４０を介して送信され、メーカ生産管理ＤＢ１２に蓄積される。
【００２５】
商品マスタサーバ２０は、商品の生産履歴や流通履歴を含む商品履歴情報などのその商品に関わる各種の情報を含む商品マスタ（商品カルテ）が格納される商品マスタＤＢ２１を備えている。商品マスタは、商品を一意に特定するための商品マスタ番号（商品カルテコードの一例）と、その商品に付与されている製造コードとを含む（図５参照）。なお、商品マスタＤＢ２１は、商品マスタサーバ２０の内部にあっても外部にあってもよい。
【００２６】
小売店サーバ３１〜３Ｎは、それぞれ、例えば各小売チェーンＡ〜Ｎを管理する小売チェーン管理者によって管理され、各小売チェーンＡ〜Ｎにて使用されるＰＯＳ情報を格納する小売チェーン商品マスタＤＢ３１ａ〜３Ｎａを備えている。小売店サーバ３１〜３Ｎは、それぞれ、例えば各小売チェーンＡ〜Ｎ内に設置される。小売店サーバ３１〜３Ｎには、図示はしないが、各小売チェーンＡ〜Ｎ内で用いられるＰＯＳレジスタ（購入金額支払所に設置されているレジスタであって、例えば商品に付されたＰＯＳシステム用のバーコード（ＰＯＳコードの一例：以下、ＰＯＳ用バーコードという。）を読み取り、ＰＯＳ用バーコードにもとづいて特定される商品名や商品価格を用いて購入内容をレシートへ印字する機能などの各種の機能を有する。）や、小売店サーバ３１〜３Ｎの処理前にＰＯＳデータイントラ処理を行うコンピュータなどが接続されている。
【００２７】
図２は、小売チェーンＡに設置されている小売店サーバ３１が備える小売チェーン商品マスタＤＢ３１ａに格納されるＰＯＳ情報の例を示す説明図である。図２に示すように、ＰＯＳ情報は、商品名と、インストアコードと、製造コードと、商品の値段とを含む。インストアコードは、ＪＡＮ形式などの特定の標準形式であってもよいし、店舗独自の形式をもったものであってもよい。インストアコードは、該当する小売チェーンＡ内のＰＯＳシステムにおいて所定の商品に対応付けて現在使用されているＰＯＳコードである。
【００２８】
図２に示すように、商品名としては、缶詰Ａ、調味料Ａなどの商品の名称及び／又はサプライヤー名（メーカー名）が設定される。また、値段には、個数や重さ毎の販売単位の値段が設定される。
【００２９】
ＰＯＳ情報は、各小売店サーバ３１〜３Ｎが備える各小売チェーン商品マスタＤＢ３１ａ〜３Ｎａにそれぞれ格納されている。また、ＰＯＳ情報は、各店舗に採用されているＰＯＳシステムによって、同じ商品であっても異なるインストアコードが設定される場合がある。
【００３０】
図３は、小売チェーンＡに設置されている小売店サーバ３１が備える小売チェーン商品マスタＤＢ３１ａに格納される小売チェーン商品マスタの例を示す説明図である。図３に示すように、小売チェーン商品マスタは、商品名と、インストアコードと、対応する商品を示すアイコンデータと、商品の入荷日と、商品の賞味期限とを含む。アイコンデータは、例えば、該当する商品の写真等の画像データである。
【００３１】
小売チェーン商品マスタは、各小売チェーンＡ〜Ｎにてそれぞれ管理される小売チェーン用の商品マスタであって、店サーバ３１〜３Ｎ各小売店サーバ３１〜３Ｎが備える各小売チェーン商品マスタＤＢ３１ａ〜３Ｎａにそれぞれ格納されている。
【００３２】
図４は、コード管理ＤＢ１１に格納されるコード管理情報の例を示す説明図である。図４に示すように、コード管理情報は、商品名と、製造コードと、小売チェーン名と、インストアコードと、製造コードが示す商品の賞味期限の該当期間である賞味期限該当期間とが対応付けされた情報である。賞味期限該当期間は、該当する製造コード（あるいはその製造コードに対応付けされている商品カルテコード）が付与されている商品の賞味期限が該当する日付の範囲を示す期間を意味し、該当する商品が現在も生産あるいは製造されている場合には期間終了日が確定できないため「使用継続中（適用中）」が設定される。なお、賞味期限該当期間は、日単位でなく、月、週、時間、分、秒単位で管理するようにしてもよい。
【００３３】
図５は、商品マスタＤＢ２１に格納される商品カルテの例を示す説明図である。図５に示すように、商品カルテには、該当する商品の商品名と、その商品に一意に付与されている製造コードと、その商品に一意に付与されている商品カルテコードと、その商品に使用されている材料と、各使用材料の分量を示す使用材料分量情報とが対応付けされた情報である。なお、該当する商品が生産される際に使用された資材（肥料、農薬、飼料、動物医薬品など）と、その使用量（例えば、１日あたりの使用量など、資材によって適切に定めるようにすればよい。）が商品カルテに含まれるようにしてもよい。
【００３４】
次に、本例のコード管理システム１００の動作について説明する。
図６は、本例のコード管理システム１００におけるコード管理サーバ１０が実行するコード管理情報登録処理の例を示すフローチャートである。コード管理情報登録処理は、例えば、コード管理サーバ１０のオペレータにより指示があったとき、あるいは定期的（例えば１日１回早朝あるいは深夜など）に実行される。
【００３５】
コード管理情報登録処理において、先ず、コード管理サーバ１０は、メーカ生産管理ＤＢ１２に格納されているメーカ生産管理情報のうち、新規に登録（前回取得したとき以降の登録）されていたメーカ生産管理情報を読み出す（ステップＳ１０１）。
【００３６】
次いで、コード管理サーバ１０は、取得したメーカ生産管理情報に含まれている商品名と製造コードとをコード管理ＤＢ１１に格納されているコード管理情報の該当項目にそれぞれ新たに登録し、対応する賞味期限該当期間の項目に、その開始日を登録し、終了日は未定なので「使用継続中」と登録する（ステップＳ１０２）。なお、終了日は、メーカ側の端末からの指示に応じて、コード管理サーバ１０が登録することとすればよい。
【００３７】
次に、コード管理サーバ１０は、各小売店サーバ３１〜３Ｎから、新規に登録（前回取得したとき以降の登録）されたＰＯＳ情報を取得する（ステップＳ１０３）。なお、ステップＳ１０３では、ＰＯＳ情報のうち、製造コードとインストアコードだけを取得するようにしてもよい。
【００３８】
次いで、コード管理サーバ１０は、ステップＳ１０３にて取得したＰＯＳ情報に含まれている製造コードを含むコード管理情報に対応付けして、インストアコードや小売チェーン名を登録する（ステップＳ１０４）。ＰＯＳ情報に含まれている製造コードを含むコード管理情報にインストアコードが既に対応付けされていれば、そのＰＯＳ情報に含まれている製造コードを含むコード管理情報をコピーしたあと、インストアコードや小売チェーン名をＰＯＳ情報に含まれているものに更新することで、インストアコードや小売チェーン名を登録する。
【００３９】
本例では、例えば、該当する商品に使用される材料に変更があった場合等に、メーカ生産管理情報に含まれている製造コードが更新されて、メーカ生産管理ＤＢ１２に登録される。また、製造コードが更新されると、該当する商品についての商品カルテが新たに作成され、商品マスタＤＢ２１に格納される。この商品カルテには、新たに付与された商品カルテコードが含まれる。そして、製造コードが更新されると、その旨が小売店サーバ３１〜３Ｎに通知され、ＰＯＳ情報における製造コードが更新される。本例では、商品名が同じ（例えば、商品としては、○○コロッケ、××缶詰など変わらない）ものについては、小売店サーバ３１〜３Ｎにおいて、インストアコードは更新されないものとする。
【００４０】
図７は、本例のコード管理システム１００におけるコード管理サーバ１０が実行する商品検索処理の例を示すフローチャートである。ここでは、小売店サーバ３１のオペレータにより指定されたインストアコードが付与されている商品であって、指定された賞味期限の商品について、使用材料などの商品情報が検索される場合を例に説明する。
【００４１】
先ず、小売店サーバ３１のオペレータは、図８に示すような検索条件指定画面の検索条件指定領域１０１に、検索対象とする商品に付与されているインストアコードと、その商品の賞味期限とを入力することによって、検索条件を指定する。検索条件が指定されると、検索条件指定画面の検索対象確認領域１０２には、検索対象として指定された商品の商品名と、その商品の製造コードが表示される。すなわち、小売店サーバ３１は、オペレータからの検索条件の指定を受け付けると、ＰＯＳ情報と小売チェーン商品マスタを用いて、商品名と製造コードを検索し、検索対象確認領域１０２に表示する処理を行う。そして、オペレータは、検索条件の指定内容を確認すると、マウスなどの入力装置を操作することにより、検索実行ボタン１０３を押下する。検索実行ボタン１０３が押下されると、小売店サーバ３１は、指定されているインストアコードと賞味期限とをコード管理サーバ１０に対して送信する。
【００４２】
なお、検索条件指定画面は、例えば図９に示すように、検索条件指定領域１０１に選択可能な各商品それぞれのアイコンが表示され、アイコンを指定することで検索対象の商品を選択することとしてもよい。この場合、小売店サーバ３１は、アイコンの選択を受け付けると、ＰＯＳ情報と小売チェーン商品マスタを用いて、選択されたアイコンに対応付けされている商品のインストアコード、商品名、及び製造コードを検索し、検索対象確認領域１０２に表示する処理を行う。また、小売店サーバ３１は、該当する商品に対応付けされている賞味期限のうち、最近の日付となっている賞味期限を検索条件に決定し、検索対象確認領域１０２に表示する処理を行う。そして、検索実行ボタン１０３が押下されると、小売店サーバ３１は、指定されているインストアコードと賞味期限とをコード管理サーバ１０に対して送信する。
【００４３】
商品検索処理において、コード管理サーバ１０は、小売店サーバ３１から通信ネットワーク４０を介してインストアコード（例えばＡ０００００２３）と、賞味期限（例えば２００６年１０月１５日）とを含む検索依頼情報を受け付ける（ステップＳ３０１）。
【００４４】
次に、コード管理サーバ１０は、コード管理ＤＢ１１を参照して、ステップＳ３０１にて受け付けたインストアコードに対応付けされ、ステップＳ３０１にて受け付けた賞味期限が賞味期限該当期間に含まれているコード管理情報を検索し、抽出する（ステップＳ３０２）。
【００４５】
次に、コード管理サーバ１０は、ステップＳ３０２にて抽出したコード管理情報に含まれている製造コードを選択することで、ステップＳ３０１にて受け付けたインストアコードが使用されていた商品のうちステップＳ３０１にて受け付けた賞味期限の商品に付与されている製造コードを特定する（ステップＳ３０３）。
【００４６】
次に、コード管理サーバ１０は、商品マスタサーバ２０に対してステップＳ３０３にて特定した製造コードを提示して、商品マスタサーバ２０から提示した製造コードに対応付けされている商品カルテコードが付与されている商品カルテを取得する（ステップＳ３０４）。
【００４７】
そして、コード管理サーバ１０は、取得した商品カルテが示す商品名、使用材料、商品の生産の際に使用された資材を含む商品検索結果情報の表示領域が設けられた検索結果画面を表示するための検索結果画面情報を生成し、小売店サーバ３１に送信する（ステップＳ３０５）。小売店サーバ３１は、自己が備える表示装置の表示画面上に、受信した検索結果画面情報が示す検索結果画面を表示する。検索結果画面は、例えば図１０に示すように、検索条件を表示する検索条件表示領域２０１と、検索結果を表示する検索結果表示領域２０２と、使用材料や資材の分量を検索指示するための検索指示ボタン２０３とが設けられている。
【００４８】
図１０には、検索条件としてインストアコード「Ａ０００００２３」及び賞味期限「２００６年１０月１５日」が指定された場合の検索結果の例が示されている。図１０に示すように、検索結果として、インストアコード「Ａ０００００２３」が示す商品が商品名「缶詰Ａ」であり、指定された日「１０月１５日」が賞味期限となるものにおいては、製造コード「０００１２３」及び商品カルテコード「ＫＡ０００４５」が使用されており、その「缶詰Ａ」の使用材料は「タラバ蟹」や「調味料α」などであり、その「缶詰Ａ」を生産する際に使用した資材が「防腐材Ａ」などであったことが示されている。本例では、各小売チェーンにてそれぞれ独自に付与されるインストアコードと賞味期限にもとづいて、製造コード（商品カルテコード）が更新されていた場合であっても、その商品の使用材料や資材を検索することが可能となる。
【００４９】
さらに、コード管理サーバ１０は、図１０の検索結果画面においてオペレータによって検索指示ボタン２０３が押下されたことを示す分量検索指示情報を小売店サーバ３１から受信すると、該当する商品の使用材料や資材の分量を示す分量情報を商品カルテから抽出し、抽出した分量情報の表示領域が設けられた検索結果画面を表示するための検索結果画面情報を生成し、小売店サーバ３１に送信する（ステップＳ３０６）。小売店サーバ３１は、自己が備える表示装置の表示画面上に、受信した検索結果画面情報が示す検索結果画面を表示する。この検索結果画面は、例えば図１１に示すように、検索条件を表示する検索条件表示領域２０１と、検索結果を表示する検索結果表示領域２０２とが設けられている。そして、図１１に示すように、検索結果表示領域２０２に、使用材料とその分量、及び資材とその分量とが表示される。
【００５０】
図１１に示すように、検索結果として、図１０に示されていた情報の他、商品「缶詰Ａ」に使用されていた「タラバ蟹」などの各材料の分量と、その商品「缶詰Ａ」の生産の際に使用された各資材の分量とが示されている。この検索結果によって、商品名「缶詰Ａ」に使用されていた材料や資材と、その材料や資材の分量を確認することができる。
【００５１】
なお、上記の例では、商品カルテの一部を抽出して検索結果画面に表示することとしていたが、商品カルテの内容の全部を抽出して検索結果画面に表示するようにしてもよい。また、上記の例では、検索結果画面を表示する構成としていたが、印刷することとしてもよく、音声により検索結果を出力することとしてもよい。
【００５２】
以上に説明したように、上述した一実施の形態では、コード管理サーバ１０が、商品仕様識別コード（製造コード）と、その商品仕様識別コードが示す商品に各小売チェーンにおいて付与されるインストアコードと、その商品仕様識別コードが示す商品の賞味期限の範囲を示す賞味期限該当期間とを含むコード管理情報を格納するコード管理ＤＢ１１を備え、検索対象の商品に付与されているインストアコードとその商品の賞味期限とを含む検索依頼情報を受け付け、受け付けた検索依頼情報に含まれるインストアコードを含み、その検索依頼情報に含まれる賞味期限を含む賞味期限該当期間が対応付けされているコード管理情報を、コード管理ＤＢ１１を参照して検索し、検索したコード管理情報に含まれている商品仕様識別コードを特定したあと、特定した商品仕様識別コードを使用して、商品仕様識別コードが付与されている商品の商品カルテを取得し、取得した商品カルテが示す商品情報を出力する構成としているので、統一することなく複数の店舗間で別個に付与されて用いられているインストアコードが示す各商品の情報を、インストアコードと賞味期限とを検索キーとして容易に検索することが可能となり、正確に確認することができる。
【００５３】
なお、商品仕様識別コードは、商品名、使用原材料、二次原料、添加物、アレルゲン、製造工場、対象販売エリア（例えば、関西エリア向けなど）、包装デザインなどの仕様が異なる毎に一意に商品に付与される識別コードである。すなわち、ある商品において、上記のような仕様（データファイル）が更新されると、新たな商品仕様識別コードが付与されることになる。なお、製造コードは、商品仕様識別コードの一例である。
【００５４】
また、上述した実施の形態では、コード管理サーバ１０が、各小売チェーンにてそれぞれ管理される小売チェーンサーバ３１から通信ネットワーク４０を介して送信された検索依頼情報を受け付け、小売チェーンサーバ３１が、インストアコードと賞味期限とを指定可能な検索依頼情報指定領域（図８の１０１参照）を含む検索依頼情報指定画面を表示し、その検索依頼情報指定画面にて指定された検索依頼情報を通信ネットワーク４０を介して送信する構成としているので、小売チェーンサーバ３１側において検索依頼情報の指定を簡単に行うことができる。
【００５５】
また、上述した実施の形態では、小売チェーンサーバ３１が、検索依頼情報指定領域（図９の１０１参照）に所定のインストアコードと所定の賞味期限とに対応付けされたアイコンを指定可能に表示する構成としているので、小売チェーンサーバ３１側において検索依頼情報の指定を極めて容易に行うことができる。
【００５６】
また、上述した実施の形態では、コード管理サーバ１０が、商品を生産あるいは製造したメーカによって当該商品に付与された商品仕様識別コードを含むメーカ管理情報を取得し、取得したメーカ管理情報をコード管理ＤＢ１１に登録する構成としているので、新たに商品仕様識別コードが付与されたときに、その新規の商品仕様識別コードや商品名をコード管理ＤＢ１１に登録することができる。
【００５７】
また、上述した実施の形態では、コード管理サーバ１０が、各小売チェーンにおいて管理される各小売チェーンサーバから、インストアコードとそのインストアコードが付与されている商品の商品仕様識別コードとを含む小売店情報を取得し、コード管理ＤＢ１１に登録されている商品仕様識別コードのうち取得した商品仕様識別コードに対応付けして、取得したインストアコードを登録する構成としたので、各小売チェーンで新たにインストアコードが付与されたときに、そのインストアコードは小売チェーン名などを適切な商品仕様識別コードに対応付けしたコード管理情報としてコード管理ＤＢ１１に登録することができる。
【００５８】
また、上述した実施の形態では、商品カルテが示す商品情報は、商品の商品名と、商品の使用材料と、商品の生産あるいは製造の際に使用された資材と、使用材料の分量と、資材の分量とを含み、コード管理サーバ１０が、商品カルテが示す商品情報として、商品の商品名と、商品の使用材料と、商品の生産あるいは製造の際に使用された資材とを検索結果として出力したあと、分量の検索依頼を受け付けたことに応じて、使用材料の分量と、資材の分量とを検索し、検索した使用材料の分量と、資材の分量とを含む分量情報を出力する構成とされているので、商品の材料や資材の分量をも、容易に検索し提示することが可能となる。
【００５９】
なお、上述した実施の形態では、インストアコードを使用する構成としていたが、コード管理情報が、インストアコードに替えて、あるいはインストアコードとともに、商品仕様識別コードが示す商品に各小売チェーンにおいて付与される図形コードを含むこととされていてもよい。すなわち、インストアコードに替えて、あるいはインストアコードとともに、各小売チェーンにてプライベートに使用される図形コードを用いることとしてもよい。
【産業上の利用可能性】
【００６０】
本発明によれば、統一することなく複数の店舗間で別個に付与されて用いられているインストアコードが示す各商品の情報を正確に確認するのに有用である。
【図面の簡単な説明】
【００６１】
【図１】本発明の一実施の形態に係るコード管理システムの構成の例を示すブロック図である。
【図２】ＰＯＳ情報の例を示す説明図である。
【図３】小売チェーン商品マスタの例を示す説明図である。
【図４】コード管理情報の例を示す説明図である。
【図５】商品カルテの内容の例を示す説明図である。
【図６】コード管理情報登録処理の例を示すフローチャートである。
【図７】商品検索処理の例を示すフローチャートである。
【図８】検索条件指定画面の例を示す説明図である。
【図９】検索条件指定画面の例を示す説明図である。
【図１０】検索結果画面の例を示す説明図である。
【図１１】検索結果画面の例を示す説明図である。
【符号の説明】
【００６２】
１０        コード管理サーバ
１１        コード管理ＤＢ
２０        商品マスタサーバ
３１〜３Ｎ  小売店サーバ
４０        通信ネットワーク
１００      コード管理システム
【図１】
2008234365.tif 000003
【図２】
2008234365.tif 000004
【図３】
2008234365.tif 000005
【図４】
2008234365.tif 000006
【図５】
2008234365.tif 000007
【図６】
2008234365.tif 000008
【図７】
2008234365.tif 000009
【図８】
2008234365.tif 000010
【図９】
2008234365.tif 000011
【図１０】
2008234365.tif 000012
【図１１】
2008234365.tif 000013